(57)【要約】    【課題】手触り感に優れた持ち手６を備えており、かつデザイン性に優れたバスケット２の提供。    【解決手段】バスケット２は、本体４と、２つの持ち手６とを備えている。本体４は、容器形状である。本体４は、帯体１６が螺旋状に巻回されることで形成されている。帯体１６は、麦稈２０が編まれることで形成されている。持ち手６は、４本の紐が編まれてなる。それぞれの紐は、１本又は複数本の紙縒からなる。紙縒は、任意の色目に着色されうる。持ち手６は軟質であり、手触り感に優れる。このバスケット２にポットが収納される。ポットには、多孔質体が収納される。この多孔質体に、切り花が差し込まれる。バスケット２に、植木鉢が収納されてもよい。【選択図】図１
2006102291.tif 000002
【特許請求の範囲】
【請求項１】
麦稈からなる容器形状の本体と、この本体の上部に取り付けられた持ち手とを備えており、この持ち手が紙材料からなるバスケット。
【請求項２】
上記持ち手が、紙縒からなる紐が編まれてなる請求項１に記載のバスケット。
【発明の詳細な説明】
【技術分野】
【０００１】
本発明は、観賞植物等が収容されるバスケットに関する。
【背景技術】
【０００２】
フラワーアレンジメントには、「オアシス」、「給水スポンジ」等と称される合成樹脂製の多孔質体が用いられている。この多孔質体に、切り花が差し込まれる。多孔質体は、保水性能が高い。多孔質体に吸収された水は、切り花に吸収される。水の吸収により、切り花が長持ちする。
【０００３】
多孔質体は、ポットに収容される。このポットは、ライナーと称されている。ポットは合成樹脂製なので、水の漏出が防がれる。ポットは機能が追求されて設計されたものであり、装飾性には劣る。装飾性向上の目的で、ポットがバスケットに収容されることがある。ポットが用いられず、フィルム、アルミ箔等で包まれたオアシスがバスケットに収容されることもある。バスケットに、植木鉢が収容されることもある。
【０００４】
バスケットは、それ自体がインテリアである。バスケットのデザインは、重要である。バスケットはまた、花の美しさを引き立たせる役割も果たす。これらの観点から、バスケットには天然素材が用いられることが多い。典型的な天然素材は、麦稈である。
【発明の開示】
【発明が解決しようとする課題】
【０００５】
フラワーアレンジメントは、贈答品として用いられることが多い。持ち運びの便宜の観点から、バスケットが持ち手を備えることが好ましい。デザインの観点からも、バスケットが持ち手を備えることが好ましい。ところが、持ち手が麦稈から構成されると、ゴワゴワ感が生じる。麦稈からなる持ち手には繊細さがなく、そのデザイン性は劣る。編まれた麦稈の表面には微細な棘が生じているので、持ち手を把持する人にとっての手触り感は悪い。麦稈は根本から先端に向かって先細り形状なので、太さが均一な持ち手は得られがたい。さらに、麦稈からなる持ち手は、流通段階等において形状の曲がつくと、元に戻りにくい。しかも、麦稈は有彩色を持っているので、任意の色目への染色が困難である。染色の自由度が低いことは、インテリアであるバスケットにとって致命傷である。
【０００６】
持ち手に、麦稈に代えてシーグラス等の天然素材が使用されうる。この場合も、持ち手の太さの不均一及び染色自由度の低さの問題は解決されない。
【０００７】
本発明の目的は、手触り感に優れた持ち手を備えており、かつデザイン性に優れたバスケットの提供にある。
【課題を解決するための手段】
【０００８】
本発明に係るバスケットは、麦稈からなる容器形状の本体と、この本体の上部に取り付けられた持ち手とを備える。この持ち手は、紙材料からなる。好ましくは、持ち手は、紙縒からなる紐が編まれてなる。
【発明の効果】
【０００９】
このバスケットの持ち手は、紙材料からなるので、手触り感がソフトである。紙材料からなる持ち手は、形状に曲がついても元の形状に戻りやすい。紙材料は任意の色目への着色が可能なので、このバスケットはデザイン性に優れる。
【発明を実施するための最良の形態】
【００１０】
以下、適宜図面が参照されつつ、好ましい実施形態に基づいて本発明が詳細に説明される。
【００１１】
図１は本発明の一実施形態に係るバスケット２が示された斜視図であり、図２は図１のバスケット２の一部が示された拡大断面図である。このバスケット２は、本体４と、２つの持ち手６と、裏当て８とを備えている。
【００１２】
本体４は、容器形状である。本体４は、筒部１０と底部１２とを備えている。筒部１０は、上方ほど直径が大きくなるように傾斜している。筒部１０の外周面には、装飾のためのボタン１４が取り付けられている。本体４の上方は、解放されている。本体４は、帯体１６が螺旋状に巻回されることで形成されている。図２に示されるように、帯体１６が少しずつ重なるように、巻回がなされる。重なり部分は、糸１８で縫われている。
【００１３】
帯体１６は、麦稈２０が編まれることで形成されている。典型的には、真田織により、帯体１６が得られる。麦稈２０は、麦わらとも称される。麦稈２０は、麦の実が取り去られた後の茎を意味する。裸麦及び大麦の麦稈２０が好ましい。麦稈２０の風合いにより、本体４のデザイン性が高められている。
【００１４】
裏当て８は、環状である。裏当て８は、本体４の上部と重ねられている。裏当て８は、糸１８、２１によって本体４に縫いつけられている。裏当て８も、本体４と同様、麦稈２０からなる帯体１６によって構成されている。裏当て８により、本体４の上部の形状が保持されている。
【００１５】
図２に示されているように、持ち手６の端部は、本体４と裏当て８とに挟まれている。持ち手６の端部はさらに、糸２１によって本体４及び裏当て８と固定されている。持ち手６の端部は裏当て８に覆われているので、露出していない。これにより、バスケット２の美観が高められている。
【００１６】
図３は、図１のバスケット２の持ち手６が製作される様子が示された正面図である。この持ち手６は、４本の紐２２が編まれてなる。この編み方は、四つ編み又は四つ組と称されている。四つ編みにより、持ち手６の表面に適度な凹凸形状が付与される。この表面形状は、麦稈２０が編まれてなる本体４の表面形状とマッチングする。紐２２の三つ編みにより、持ち手６が形成されてもよい。５本以上の紐２２が編まれて、持ち手６が形成されてもよい。
【００１７】
それぞれの紐２２は、１本又は複数本の紙縒からなる。換言すれば、持ち手６は紙材料からなる。紙材料は、軟質である。紙材料は、持ち手６の手触り感に寄与する。紙材料が用いられることにより、太さが均質な持ち手６が得られる。紙材料が用いられることにより、流通段階において持ち手６に曲がついても、元の形状に戻りやすい。しかも紙材料は、風合いにも優れる。風合いの観点から、１本から４本の紙縒から紐２２が構成されることが好ましい。
【００１８】
紙材料は、任意の色目に着色可能である。紙材料が用いられることにより、本体４とのマッチングに優れた色目の持ち手６が得られる。持ち手６の色目は本体４の色目と同色でもよく、本体４の色目と異なってもよい。
【００１９】
図４は、図１のバスケット２の使用状態が示された分解斜視図である。この例では、バスケット２は鑑賞植物の収納に用いられる。このバスケット２には、ポット２４が収納される。ポット２４は合成樹脂製であり、非透水性である。ポット２４には、多孔質体２６が収納される。この多孔質体２６に、切り花２８が差し込まれる。多孔質体２６には水が注がれるが、水の漏れ出しはポット２４によって防がれる。このバスケット２が、室内に飾られる。
【００２０】
図１に示されたバスケット２の本体４の断面形状は円であるが、本体が楕円、矩形等の断面形状を備えてもよい。
【産業上の利用可能性】
【００２１】
本発明に係るバスケットは、フラワーアレンジメントのみならず、鉢植えの収納にも用いられうる。このバスケットは、食品、衣服、ギフト商品等のための包装材としても用いられうる。
【図面の簡単な説明】
【００２２】
【図１】図１は、本発明の一実施形態に係るバスケットが示された斜視図である。
【図２】図２は、図１のバスケットの一部が示された拡大断面図である。
【図３】図３は、図１のバスケットの持ち手が製作される様子が示された正面図である。
【図４】図４は、図１のバスケットの使用状態が示された分解斜視図である。
【符号の説明】
【００２３】
２・・・バスケット
４・・・本体
６・・・持ち手
８・・・裏当て
１０・・・筒部
１２・・・底部
１６・・・帯体
２０・・・麦稈
２２・・・紐
【図１】
2006102291.tif 000003
【図２】
2006102291.tif 000004
【図３】
2006102291.tif 000005
【図４】
2006102291.tif 000006